(57)【特許請求の範囲】
【請求項１】
二以上のユーザで構成されるグループのグループ識別子と、当該グループ識別子が示すグループに属するユーザのユーザ識別子とを有するグループ管理情報が格納されるグループ管理情報格納部と、
ユーザが購入目的で指定した商品の商品識別子と、当該ユーザのユーザ識別子とを有する一以上の購入指定情報を受信する購入指定情報受信部と、
前記購入指定情報が示す商品についての注文を受け付ける注文受付部と、
前記注文受付部が注文を受け付けた商品であって、同じグループ識別子と対応づけられたユーザ識別子を有する購入指定情報が示す二以上の商品を発送する発送指示を出力する発送指示出力部と、
一のグループ識別子と、一の発送先を示す発送先情報とを有する一以上の発送管理情報が格納される発送管理情報格納部と、を備え、
前記発送指示出力部は、一のグループ識別子と対応する二以上のユーザ識別子が示すユーザへの商品の送付先が、予め指定された領域内である場合、当該グループ識別子と対応付けられた二以上の商品を、それぞれの商品に対応する購入指定情報が有するユーザ識別子に対応する送付先に送付する発送指示を出力し、予め指定された領域内でない場合、当該グループ識別子と対応付けられた二以上の商品を、当該グループ識別子と対応づけられた発送先情報が示す一の発送先に発送する発送指示を出力する情報処理装置。
【請求項２】
前記注文受付部は、前記グループ識別子が示すグループ毎に、当該グループ識別子と対応づけられたユーザ識別子を有する購入指定情報が示す商品についての注文を受け付け、
前記発送指示出力部は、前記注文受付部がグループ毎に注文を受け付けた商品をグループ毎に発送する発送指示を出力する請求項１記載の情報処理装置。
【請求項３】
前記商品識別子と、当該商品識別子が示す商品の価格を示す価格情報とを有する一以上の商品価格情報が格納される商品価格情報格納部と、
一のグループ識別子と対応づけられたユーザ識別子を有する購入指定情報が示す商品に対応する価格情報を前記商品価格情報格納部から取得し、当該価格情報に応じて前記一のグループ識別子に対応する送料を取得する送料取得部とを、更に備え、
前記注文受付部は、
一のグループ識別子と対応づけられたユーザ識別子を有する購入指定情報が示す商品を、当該一のグループ識別子について前記送料取得部が取得した送料により発送する注文を受け付ける請求項１または請求項２記載の情報処理装置。
【請求項４】
一のグループ識別子と対応づけられたユーザ識別子を有する前記購入指定情報を用いて、当該グループ識別子が示すグループにおいて指定された商品の指定状況に関する情報である状況情報を取得する状況情報取得部と、
当該状況情報取得部が取得した状況情報を前記一のグループ識別子と対応づけられたユーザ識別子が示すユーザに送信する状況情報送信部を更に備えた請求項１から請求項３いずれか一項記載の情報処理装置。
【請求項５】
一のグループ識別子と対応づけられたユーザ識別子を有する前記購入指定情報と、前記商品価格情報とを用いて、当該グループ識別子が示すグループにおいて指定された商品の指定状況に関する情報であって、当該指定された商品の合計価格が、送料を無料とするための予め指定された最低価格となるまでに必要となる価格を示す情報である状況情報を取得する状況情報取得部と、
当該状況情報取得部が取得した状況情報を前記一のグループ識別子と対応づけられたユーザ識別子が示すユーザに送信する状況情報送信部を更に備えた請求項３記載の情報処理装置。
【請求項６】
二以上のユーザで構成されるグループのグループ識別子と、当該グループ識別子が示すグループに属するユーザのユーザ識別子とを有するグループ管理情報が格納されるグループ管理情報格納部と、購入指定情報受信部と、注文受付部と、発送指示出力部と、一のグループ識別子と、一の発送先を示す発送先情報とを有する一以上の発送管理情報が格納される発送管理情報格納部と、を用いて行われる情報処理方法であって、
前記購入指定情報受信部が、ユーザが購入目的で指定した商品の商品識別子と、当該ユーザのユーザ識別子とを有する一以上の購入指定情報を受信する購入指定情報受信部ステップと、
前記注文受付部が、前記購入指定情報が示す商品についての注文を受け付ける注文受付ステップと、
前記発送指示出力部が、前記注文受付ステップで注文を受け付けた商品であって、同じグループ識別子と対応づけられたユーザ識別子を有する購入指定情報が示す二以上の商品を発送する発送指示を出力する発送指示出力ステップとを備え、
前記発送指示出力ステップは、一のグループ識別子と対応する二以上のユーザ識別子が示すユーザへの商品の送付先が、予め指定された領域内である場合、当該グループ識別子と対応付けられた二以上の商品を、それぞれの商品に対応する購入指定情報が有するユーザ識別子に対応する送付先に送付する発送指示を出力し、予め指定された領域内でない場合、当該グループ識別子と対応付けられた二以上の商品を、当該グループ識別子と対応づけられた発送先情報が示す一の発送先に発送する発送指示を出力する情報処理方法。
【請求項７】
二以上のユーザで構成されるグループのグループ識別子と、当該グループ識別子が示すグループに属するユーザのユーザ識別子とを有するグループ管理情報が格納されるグループ管理情報格納部と、一のグループ識別子と、一の発送先を示す発送先情報とを有する一以上の発送管理情報が格納される発送管理情報格納部と、にアクセス可能なコンピュータを、
ユーザが購入目的で指定した商品の商品識別子と、当該ユーザのユーザ識別子とを有する一以上の購入指定情報を受信する購入指定情報受信部と、
前記購入指定情報が示す商品についての注文を受け付ける注文受付部と、
前記注文受付部が注文を受け付けた商品であって、同じグループ識別子と対応づけられたユーザ識別子を有する購入指定情報が示す二以上の商品を発送する発送指示を出力する発送指示出力部として機能させ、
前記発送指示出力部は、一のグループ識別子と対応する二以上のユーザ識別子が示すユーザへの商品の送付先が、予め指定された領域内である場合、当該グループ識別子と対応付けられた二以上の商品を、それぞれの商品に対応する購入指定情報が有するユーザ識別子に対応する送付先に送付する発送指示を出力し、予め指定された領域内でない場合、当該グループ識別子と対応付けられた二以上の商品を、当該グループ識別子と対応づけられた発送先情報が示す一の発送先に発送する発送指示を出力するプログラム。
【発明の詳細な説明】
【技術分野】
【０００１】
本発明は、通信販売等における商品の注文を行うための装置等に関するものである。
【背景技術】
【０００２】
従来の技術として、顧客の端末から少なくとも注文商品の配送先の情報を受信した場合、少なくとも当該配送先の情報に基づき指定可能な運送会社及び運送料金の情報を前記顧客の端末に送信する運送情報提供手段と、前記顧客の端末から顧客による運送会社の指定情報を受信した場合、配送伝票識別情報としても用いられる注文識別情報を生成し、前記注文商品の識別情報と前記配送先の情報と指定された運送会社の識別情報とを含む注文情報を前記注文識別情報と対応付けて記憶装置に格納し、前記顧客の端末に前記注文識別情報を含む注文受付を示す情報を送信する注文登録手段と、を有するものが知られていた（例えば、特許文献１参照）。
【先行技術文献】
【特許文献】
【０００３】
【特許文献１】特開２００１−３４４５３１号公報（第１頁、第１図等）
【発明の概要】
【発明が解決しようとする課題】
【０００４】
しかしながら、従来においては、注文を受け付けた商品を、注文を行ったユーザ毎に配送していたため、商品を発送する手間がかかり、商品を効率よく発送させることができない、という課題があった。
【０００５】
本発明は、上記のような課題を解消するためになされたものであり、商品を効率よく発送させることができる情報処理装置等を提供することを目的とする。
【課題を解決するための手段】
【０００６】
本発明の情報処理装置は、二以上のユーザで構成されるグループのグループ識別子と、グループ識別子が示すグループに属するユーザのユーザ識別子とを有するグループ管理情報が格納されるグループ管理情報格納部と、ユーザが購入目的で指定した商品の商品識別子と、ユーザのユーザ識別子とを有する一以上の購入指定情報を受信する購入指定情報受信部と、購入指定情報が示す商品についての注文を受け付ける注文受付部と、注文受付部が注文を受け付けた商品であって、同じグループ識別子と対応づけられたユーザ識別子を有する購入指定情報が示す二以上の商品を発送する発送指示を出力する発送指示出力部とを備えた情報処理装置である。
【０００７】
かかる構成により、ユーザが属するグループ毎に商品を発送させることができ、効率よく商品を発送させることができる。
【０００８】
また、本発明の情報処理装置は、前記情報処理装置において、注文受付部は、グループ識別子が示すグループ毎に、グループ識別子と対応づけられたユーザ識別子を有する購入指定情報が示す商品についての注文を受け付け、発送指示出力部は、注文受付部がグループ毎に注文を受け付けた商品をグループ毎に発送する発送指示を出力する情報処理装置である。
【０００９】
かかる構成により、ユーザが属するグループ毎に商品の注文を受け付けて、グループ毎に商品を発送させることができる。
【００１０】
また、本発明の情報処理装置は、前記情報処理装置において、一のグループ識別子と、一の発送先を示す発送先情報とを有する一以上の発送管理情報が格納される発送管理情報格納部を更に備え、発送指示出力部は、注文受付部が注文を受け付けた一のグループ識別子と対応づけられたユーザ識別子を有する購入指定情報が示す商品を、グループ識別子と対応づけられた発送先情報が示す一の発送先に発送する発送指示を出力する情報処理装置である。
【００１１】
かかる構成により、ユーザが属するグループ毎の商品を、グループと対応づけられた一の発送先に発送させることができ、配送時に必要な送料や労力等を節約することができる。
【００１２】
また、本発明の情報処理装置は、前記情報処理装置において、商品識別子と、商品識別子が示す商品の価格を示す価格情報とを有する一以上の商品価格情報が格納される商品価格情報格納部と、一のグループ識別子と対応づけられたユーザ識別子を有する購入指定情報が示す商品に対応する価格情報を商品価格情報格納部から取得し、価格情報に応じて一のグループ識別子に対応する送料を取得する送料取得部とを、更に備え、注文受付部は、一のグループ識別子と対応づけられたユーザ識別子を有する購入指定情報が示す商品を、一のグループ識別子について送料取得部が取得した送料により発送する注文を受け付ける情報処理装置である。
【００１３】
かかる構成により、グループ毎に注文された商品の価格情報に応じた送料により、商品を発送することができ、ユーザが個別に商品を注文する場合に比べて、容易に送料を節約することができる。例えば、注文された一以上の商品の合計価格により、送料が決定される場合であって、合計金額が予め指定された金額以上である場合に送料が減額される場合（例えば無料となる場合）においては、一のグループに属する複数のユーザがそれぞれ指定した商品について、注文を受け付けるようにすることで、容易に、合計金額が、送料が減額される予め指定された金額以上となるようにすることができ、送料を節約して、商品を購入しやすくすることができる。
【００１４】
また、本発明の情報処理装置は、前記情報処理装置において、一のグループ識別子と対応づけられたユーザ識別子を有する購入指定情報を用いて、グループ識別子が示すグループにおいて指定された商品の指定状況に関する情報である状況情報を取得する状況情報取得部と、状況情報取得部が取得した状況情報を一のグループ識別子と対応づけられたユーザ識別子が示すユーザに送信する状況情報送信部を更に備えた情報処理装置である。
【００１５】
かかる構成により、グループに属するユーザによる、購入のために指定した商品に関連した情報、例えば、指定された商品や、指定された商品の合計金額や、送料等を示す情報を、同じグループのユーザに知らせることができ、ユーザが商品を注文しやすくすることができる。
【００１６】
また、本発明の情報処理装置は、前記情報処理装置において、一のグループ識別子と対応づけられたユーザ識別子を有する購入指定情報と、商品価格情報とを用いて、グループ識別子が示すグループにおいて指定された商品の指定状況に関する情報であって、指定された商品の合計価格が、送料を無料とするための予め指定された最低価格となるまでに必要となる価格を示す情報である状況情報を取得する状況情報取得部と、状況情報取得部が取得した状況情報を一のグループ識別子と対応づけられたユーザ識別子が示すユーザに送信する状況情報送信部を更に備えた情報処理装置である。
【００１７】
かかる構成により、グループにおいて指定した商品を無料で配送するために必要な、商品の金額をグループに属するユーザに通知することができ、ユーザの購入意欲を高めたり、購入の動機を与えたりすることができる。
【発明の効果】
【００１８】
本発明による情報処理装置等によれば、商品の注文を適切に受け付けることができる。
【図面の簡単な説明】
【００１９】
【図１】本発明の実施の形態における情報処理システムのブロック図
【図２】同情報処理システムの情報処理装置の動作の一例について説明するフローチャート
【図３】同情報処理システムの情報処理装置のグループ管理情報を示す図
【図４】同情報処理システムのユーザ端末の表示例を示す図
【図５】同情報処理システムの情報処理装置の購入指定情報管理表を示す図
【図６】同情報処理システムの情報処理装置の商品価格情報を示す図
【図７】同情報処理システムのユーザ端末の表示例を示す図
【図８】同情報処理システムのユーザ端末の表示例を示す図を示す図
【図９】同情報処理システムの情報処理装置の発送管理情報を示す図
【図１０】本発明の実施の形態におけるコンピュータシステムの外観の一例を示す図
【図１１】同コンピュータシステムの構成の一例を示す図
【発明を実施するための形態】
【００２０】
以下、情報処理装置等の実施形態について図面を参照して説明する。なお、実施の形態において同じ符号を付した構成要素は同様の動作を行うので、再度の説明を省略する場合がある。
【００２１】
（実施の形態）
図１は、本実施の形態における情報処理システム１０００のブロック図である。情報処理システム１０００は、情報処理装置１と複数のユーザ端末２を備える。情報処理装置１と、複数のユーザ端末２とは、例えば、インターネット等のネットワークや、通信回線等を介して、情報の送受信が可能となるように接続されている。
【００２２】
ここでは、説明の便宜上、情報処理システム１０００が、複数のユーザ端末２として、ユーザ端末２ａと、ユーザ端末２ｂ等を備えている場合を示している。ユーザ端末２は、複数であればよく、例えば、３以上であってもよい。なお、複数のユーザ端末２、例えば、ユーザ端末２ａやユーザ端末２ｂ等は、実質的に同様の構成を有している。
【００２３】
情報処理装置１は、グループ管理情報格納部１０１、購入指定情報受信部１０２、購入指定情報格納部１０３、発送管理情報格納部１０４、商品価格情報格納部１０５、送料取得部１０６、状況情報取得部１０７、状況情報送信部１０８、注文受付部１０９、発送指示出力部１１０を備えている。
【００２４】
ユーザ端末２、例えば、ユーザ端末２ａやユーザ端末２ｂ等は、受信部２０１、受付部２０２、送信部２０３を備えている。
【００２５】
グループ管理情報格納部１０１には、グループ管理情報が格納される。グループ管理情報は、グループに関する情報である。グループ管理情報は、二以上のユーザで構成されるグループのグループ識別子と、グループ識別子が示すグループに属するユーザのユーザ識別子とを有する。例えば、グループ管理情報格納部１０１には、グループ識別子と、このグループ識別子が示すグループに属する二以上のユーザのそれぞれについての二以上のユーザ識別子とを有する一以上のグループ管理情報が格納される。また、例えば、グループ管理情報格納部１０１には、一のグループ識別子と、一のユーザ識別子とを有する二以上のグループ管理情報が格納されてもよい。なお、これらのグループ管理情報は実質的に同じグループ管理情報と考えてもよい。
【００２６】
グループ識別子は、例えば、グループ名や、グループに割り当てられたユニークなコード等である。同じグループ識別子と対応づけられたユーザ識別子が示すユーザは、通常、同じグループに属するユーザである。ここでのグループは、例えば、近隣に居住する複数の住人や、家族や、社員のグループ等である。近隣に住む複数の住人とは、例えば、同一市町村等に住む住人や、同じ集合住宅等に住む複数の住人等である。例えば、近隣に居住する複数のユーザのユーザ識別子に、同じグループ識別子を対応づけることで、近隣に居住する複数のユーザを一のグループとすることができる。ただし、グループは、どのようなグループであってもよい。
【００２７】
ユーザ識別子は、ユーザを識別可能な情報であればよい。ユーザ識別子は、例えば、ユーザ名や、ユーザに割り当てられたコードや、ユーザのメールアドレス等のアドレス情報や、ショートメッセージサービスや、ソーシャルネットワークサービス等のアカウントや、ユーザの会員番号、ユーザの電話番号等である。
【００２８】
グループ管理情報格納部１０１に、グループ管理情報が蓄積される過程は問わない。グループ管理情報格納部１０１に格納されたグループ管理情報は、予め登録されたものであっても、ユーザ等の指示に応じて蓄積されるグループ管理情報であってもよい。
【００２９】
グループ管理情報格納部１０１は、不揮発性の記録媒体が好適であるが、揮発性の記録媒体でも実現可能である。かかることは、他の格納部についても同様である。
【００３０】
購入指定情報受信部１０２は、一または二以上の購入指定情報を受信する。購入指定情報は、購入を目的としてユーザが指定した商品に関する情報である。購入指定情報は、ユーザが購入目的で指定した商品の商品識別子と、ユーザのユーザ識別子とを有する情報である。商品識別子は、商品を識別可能な情報であり、例えば、商品名や、商品に割り当てられたコード等である。購入指定情報は、更に、商品を販売する店舗を識別する店舗識別子を有していてもよい。店舗識別子は、例えば、店舗名や、店舗に割り当てられたコード等である。購入指定情報受信部１０２は、例えば、ユーザ端末２から送信される購入指定情報を受信する。
【００３１】
購入指定情報受信部１０２が、一のユーザ端末２から受信する購入指定情報は、例えば、情報処理装置１の図示しない送信部等から一のユーザ端末２に送信された購入可能な商品の商品識別子のリスト等を利用して、この一のユーザ端末２を利用するユーザが指定した商品の商品識別子と、このユーザのユーザ識別子とを有する購入指定情報である。購入指定情報は、例えば、インターネット等のショッピングサイトを利用する際の、一のユーザのいわゆるショッピングカートに登録された商品に関する情報等と考えてもよい。
【００３２】
購入指定情報は、更に、商品識別子が示す商品の個数等の情報を有していてもよい。
【００３３】
購入指定情報受信部１０２は、例えば、受信した購入指定情報を購入指定情報格納部１０３に蓄積する。
【００３４】
購入指定情報受信部１０２は、通常、無線または有線の通信手段で実現される。購入指定情報受信部１０２は、通信デバイスを含むと考えても、含まないと考えても良い。
【００３５】
購入指定情報格納部１０３には、購入指定情報受信部１０２が受信した購入指定情報が格納される。ここでの格納は、一時記憶であってもよい。
【００３６】
発送管理情報格納部１０４には、一または二以上の発送管理情報が格納される。発送管理情報は、グループ毎の発送先に関する情報である。発送管理情報は、一のグループ識別子と、一の発送先を示す発送先情報とを有する情報である。配送先情報は、例えば、商品の配送先を特定可能な情報であり、例えば、住所である。一の発送先は、例えば、一のグループ識別子と対応づけられた一の発送先である。例えば、発送管理情報は、一のグループ識別子と、上述したグループ管理情報により、このグループ識別子に対応づけられた複数のユーザ識別子のうちの一のユーザ識別子が示すユーザを配送先とする配送先情報である。具体的には、一のユーザ識別子が示すユーザの住所、例えばユーザの居住する場所を示す住所等である。また、例えば、配送先情報は、グループ識別子に対応づけられた複数のユーザが居住している集合住宅等の建物やその一部を指定する住所の情報や、グループ識別子に対応づけられた複数のユーザが所属する団体、例えば、複数のユーザが勤務する企業等の建物を示す住所等であってもよい。また、ユーザが指定する配送される商品の受け取り場所を示す情報、例えば、配送会社の営業所や、コンビニエンスストア等を示す情報であってもよい。
【００３７】
発送管理情報格納部１０４に発送管理情報が蓄積される過程は問わない。例えば、上述したグループ管理情報が蓄積される際に、このグループに対応する発送管理情報が蓄積される。
【００３８】
商品価格情報格納部１０５には、一または二以上の商品価格情報が格納される。商品価格情報は、商品の価格に関する情報である。商品価格情報は、商品識別子と、商品識別子が示す商品の価格を示す価格情報とを有する。
【００３９】
送料取得部１０６は、一のグループ識別子と対応づけられたユーザ識別子を有する一または二以上の購入指定情報が示す商品に対応する一または二以上の価格情報を商品価格情報格納部１０５に格納されている商品価格情報から取得し、取得した価格情報に応じて一のグループ識別子に対応する送料を取得する。一のグループ識別子に対応する送料とは、例えば、一のグループ識別子と対応づけられたユーザ識別子を有する一または二以上の購入指定情報が示す商品を、まとめて配送する際の送料である。具体的には、一のグループ識別子に対応する商品を、一カ所、例えばグループ識別子に対応する発送先情報が示す発送先等に配送する場合の送料である。
【００４０】
送料取得部１０６は、例えば、取得した価格情報の合計に応じて一のグループ識別子に対応する送料を取得する。送料取得部１０６が、取得した価格情報に応じて取得する一のグループ識別子に対応する送料は、例えば、取得した価格情報の合計に応じて、段階的に変化（例えば、段階的に減少あるいは増加）する送料や、連続的に変化する（例えば、連続的に単調増加あるいは単調減少）する送料である。例えば、送料取得部１０６は、図示しない格納部等に予め格納されている価格帯と、送料とを有する二以上の送料を管理する情報から、上記の価格情報の合計が含まれる価格帯に対応した送料を、一のグループ識別子に対応する送料として取得する。この管理する情報は、価格と送料との対応表と考えてもよい。なお、送料取得部１０６は、予め指定された送料から、価格情報に応じて段階的あるいは連続的に変化する比率の金額を割り引いて得られた送料を、一のグループ識別子に対応する送料として取得するようにしても良い。
【００４１】
また、送料取得部１０６は、予め用意された価格情報の合計の値を引数とした送料を算出する式に、一のグループ識別子と対応づけられたユーザ識別子を有する一または二以上の購入指定情報が示す商品について取得した価格情報の合計を代入することで、送料を算出してもよい。例えば、送料取得部１０６は、式を用いて、価格情報の合計に対して予め指定された比率となる送料を取得するようにしても良い。また、この式により送料を算出する処理と、上記の送料を管理する情報を用いて送料を取得する処理とを適宜組み合わせてもよい。
【００４２】
送料取得部１０６は、グループ識別子だけでなく、購入指定情報に含まれる店舗識別子ごとに送料を取得してもよい。また、店舗識別子が異なっていても、まとめて送料を計算することができるような店舗であれば、その店舗群ごとに送料を取得してもよい。例えば、異なる店舗識別子を有する店舗であっても、統一された店舗群を構成する店舗である場合、店舗群ごとに送料を取得しても良い。また、例えば、店舗が、同一地域内で営業する店舗であって、商品をまとめて配送することでできるような店舗群を構成する店舗である場合においては、その店舗群ごとに送料を取得しても良い。統一された店舗群に属する店舗や、商品をまとめて配送することができる店舗については、例えば、図示しない格納部等に予め格納された、店舗についての店舗識別子と、店舗が属する店舗群の識別子とを対応づけた複数の情報を用いることで判断可能である。
【００４３】
送料取得部１０６が取得する送料は、無料であってもよい。例えば、送料取得部１０６は、取得した価格情報の合計が、予め指定された最低価格以上となった場合に、送料として無料（例えば、０円）を取得し、最低価格未満の場合、有料とする。ここでの予め指定された最低価格は、送料を無料とするための最低価格である。なお、予め指定された最低価格以上であることは、取得した価格情報の合計が、送料が有料となる場合の最高価格を超える値となることと考えてもよい。また、送料取得部１０６は、取得した価格情報の合計が、上記の最低価格未満である場合には、上記のような送料を管理する情報や、予め用意された式等を用いて、送料を取得しても良い。また、この無料である送料は、上記の送料を管理する情報が価格帯と対応づけて有する二以上の送料のうちの一の送料であってもよい。
【００４４】
状況情報取得部１０７は、一のグループ識別子と対応づけられたユーザ識別子を有する購入指定情報を用いて、この一のグループ識別子が示すグループにおいて指定された商品の指定状況に関する情報である状況情報を取得する。ここでの購入指定情報は、購入指定情報受信部１０２が受信した購入指定情報であり、例えば、購入指定情報受信部１０２が受信して購入指定情報格納部１０３に蓄積した購入指定情報である。
【００４５】
状況情報は、例えば、一のグループに属する一または二以上のユーザが購入目的で指定した商品の指定状況に関する情報である。商品の指定状況に関する情報とは、例えば、商品の指定状況を示す情報である。指定状況は、例えば、商品が指定されている状況や、指定された商品に関連した状況等である。商品の指定状況に関する情報は、例えば、一のグループに属する一または二以上のユーザが指定した商品を示す情報（例えば、商品識別子）と、指定した商品の価格を示す情報（例えば、価格情報）と、商品を指定したユーザを示す情報（例えば、ユーザ識別子）とのうちの一以上を有する情報である。また、送料取得部１０６等が取得した一のグループのユーザにおいて指定された商品についての送料を有する情報であってもよい。また、送料と、予め指定された値との差額を示す情報であってもよい。
【００４６】
状況情報取得部１０７は、、送料取得部１０６が、上述したように店舗識別子ごとに送料を取得した場合は、店舗識別子ごとに状況情報を取得してもよい。また、上述したように、送料取得部１０６が店舗群ごとに送料を取得した場合は、その店舗群ごとに状況情報を取得してもよい。
【００４７】
状況情報取得部１０７は、例えば、一のグループ識別子と対応づけられた一または二以上のユーザ識別子を有する購入指定情報と、商品価格情報格納部１０５に格納されている商品価格情報とを用いて、この一のグループ識別子が示すグループにおいて指定された商品の指定状況に関する情報であって、指定された商品の合計価格が、送料を無料とするための予め指定された最低価格となるまでに必要となる価格を示す情報である状況情報を取得するようにしてもよい。一のグループ識別子と対応づけられた一または二以上のユーザ識別子を有する購入指定情報とは、例えば、一のグループ識別子と対応づけられた全てのユーザ識別子のいずれか一つを有する購入指定情報である。この状況情報は、例えば、一のグループに属するユーザにより購入のために指定された商品の送料を無料とするために必要な金額を示す情報と考えてもよい。例えば、状況情報は、商品の送料を無料とするためにユーザが更に指定する必要がある商品の最低金額を示す情報と考えてもよい。具体的には以下のような処理により、状況情報取得部１０７は、このような状況情報を取得する。
【００４８】
例えば、状況情報取得部１０７は、一のグループ識別子と対応づけられた二以上のユーザ識別子をグループ管理情報格納部１０１から取得し、購入指定情報が受信した購入指定情報、例えば、購入指定情報格納部１０３に格納されている一または２以上の購入指定情報において、上記で取得した二以上のユーザ識別子のいずれかを有する購入指定情報を検出する。そして、状況情報取得部１０７は、検出した一または二以上の購入指定情報が有する商品識別子を取得し、取得した各商品識別子と対応づけられた価格情報を、商品価格情報格納部１０５から取得する。そして、状況情報取得部１０７は、取得した価格情報の合計を取得する。取得した価格情報の合計は、例えば、一のグループ識別子が示すグループに属するユーザが購入のために指定した商品の合計金額と考えてもよい。そして、図示しない格納部等に予め格納されている送料を無料とするための最低価格と、状況情報取得部１０７が取得した合計金額との差を算出し、差が正であれば、この差を、送料を無料とするための予め指定された最低価格となるまでに必要となる価格を示す情報である状況情報として取得する。この送料を無料とするための最低価格は、上述した送料取得部１０６が送料を取得する際に用いる情報を用いて取得可能な、送料が無料となる商品の合計金額の最低価格であってもよい。
【００４９】
なお、状況情報取得部１０７は、送料が無料となるまでに必要な金額を示す状況情報を取得する代わりに、送料が減額されるまでに必要な金額を示す状況情報を取得するようにしてもよい。状況情報取得部１０７は、例えば、送料が予め指定された金額となるよう減額されるまでに必要な金額を示す状況情報や、送料が予め指定された割引率、例えば５割引となるまでに必要な金額を示す状況情報を取得するようにしてもよい。送料を減額するということは、例えば、送料を本来の送料、例えば、予め指定された金額や、発送する商品数や量に応じた送料から減額することである。なお、この処理は、送料が無料となるまでに必要な最低価格の代わりに、送料が減額されるまでに必要な最低価格を用いることにより、上記と同様の処理によって取得可能である。
【００５０】
なお、状況情報取得部１０７は、上記と同様の処理により取得した、一のグループ識別子と対応づけられた二以上のユーザ識別子のいずれかを有する一または二以上の購入指定情報が有する商品識別子と対応づけられた価格情報や、この価格情報の合計等を、状況情報等として取得しても良い。
【００５１】
また、状況情報は、更に、一のグループ識別子と対応づけられた二以上のユーザ識別子や、このユーザ識別子のいずれかを有する一または二以上の購入指定情報が有する商品識別子等を有していてもよい。
【００５２】
状況情報取得部１０７は、例えば、グループ管理情報格納部１０１に格納されている二以上のグループ識別子について、それぞれ、この処理を行ってもよい。
【００５３】
状況情報取得部１０７が、この状況情報を取得する処理を行うタイミング等は問わない。例えば、予め指定されたタイミング、例えば、予め指定された日時や曜日、時刻等に、状況情報取得部１０７が、状況情報を取得する処理を行ってもよい。また、図示しない受信部が、ユーザ端末２から、状況情報の送信を要求する情報を受信したことをトリガーとして、状況情報取得部１０７が、状況情報を取得する処理を行ってもよく、購入指定情報受信部１０２が、新たな購入指定情報を受け付けたタイミングや、ユーザが情報処理装置にアクセスしたタイミングや、ログインしたタイミング等に状況情報取得部１０７が、上記の処理を行うようにしてもよい。
【００５４】
状況情報送信部１０８は、状況情報取得部１０７が取得した状況情報を、上述した一のグループ識別子と対応づけられたユーザ識別子が示すユーザに送信する。ここでの一のグループ識別子は、状況情報に対応する一のグループ識別子であり、具体的には、状況情報に対応する商品を指定したグループのグループ識別子である。
【００５５】
状況情報送信部１０８は、例えば、一のグループ識別子に対応づけられた一または二以上のユーザ識別子を取得し、取得したユーザ識別子が示すユーザに、上述したような状況情報取得部１０７が取得した状況情報を送信する。ユーザ識別子が示すユーザに送信とは、状況情報を、ユーザ識別子が示すユーザに対応づけられたメールアドレス等のアドレス情報や、ショートメッセージサービスや、ソーシャルネットワークサービス等のユーザのアカウント等に送信することであってもよいし、ユーザ識別子が示すユーザの利用するユーザ端末２に送信することであってもよい。
【００５６】
ユーザのアドレス情報や、ユーザ端末２のアドレス情報等は、どのように取得しても良い。例えば、ユーザ識別子が、ユーザのメールアドレス等のアドレス情報や、ユーザのアカウントである場合、このアドレス情報やユーザのアカウントを宛先として、状況情報を取得しても良い。また、ユーザ端末２のアドレス情報（例えば、ＩＰアドレスやＭＡＣアドレス等）を、このユーザ端末２を利用するユーザのユーザ識別子と対応づけた情報を、予め図示しない格納部等に格納しておくようにし、この対応づけた情報から、一のグループ識別子に対応づけられたユーザ識別子に対応するユーザ端末のアドレス情報を取得して、取得したアドレス情報に状況情報を送信してもよい。
【００５７】
状況情報送信部１０８は、例えば、上述した一のグループ識別子に対応づけられた少なくとも一以上のユーザ識別子が示すユーザに対して状況情報を送信する。状況情報送信部１０８は、例えば、一のグループ識別子に対応づけられた全てのユーザ識別子が示すユーザに対して状況情報を送信する。また、状況情報送信部１０８は、例えば、一のグループ識別子に対応づけられたユーザ識別子のうちの、この一のグループ識別子に対応づけられた購入指定情報が有するユーザ識別子を除いたユーザ識別子が示すユーザに、状況情報を送信するようにしてもよい。また、状況情報送信部１０８は、例えば、指定状況の送信を要求する情報を送信したユーザに状況情報を送信するようにしてもよい。
【００５８】
状況情報送信部１０８は、通常、無線または有線の通信手段で実現されるが、放送手段で実現されても良い。状況情報送信部１０８は、通信デバイスを含むと考えても、含まないと考えても良い。
【００５９】
注文受付部１０９は、一または二以上の購入指定情報が示す商品についての注文を受け付ける。注文を受け付けるということは、例えば、注文の指示を受け付けるである。注文を受け付けるということは、例えば、商品を購入する指示を受け付けることや、商品の購入を確定することや、商品の発送を指示すること等も含む概念と考えてもよい。
【００６０】
注文受付部１０９は、例えば、一のユーザ識別子と対応づけられたユーザから、このユーザ識別子を有する購入指定情報が示す商品についての注文を受け付ける。例えば、注文受付部１０９は、一または二以上のユーザ端末２等から、購入指定情報が示す商品を注文する指示等を受信する。例えば、注文受付部１０９は、一のユーザ識別子を有する注文を指示する情報を、一のユーザ端末２等から受信する。注文受付部１０９が受け付ける注文の指示は、例えば、注文を受け付ける一のグループのグループ識別子、または一のグループ識別子に対応する一のユーザ識別子を有する指示である。
【００６１】
通常、注文受付部１０９は、注文を、ネットワーク等を介してユーザ端末２等から受信するが、注文受付部１０９は、情報処理装置１の図示しない制御部等が出力する注文を受け付けてもよい。
【００６２】
例えば、注文受付部１０９は、予め指定されたタイミング等において、情報処理装置１の図示しない制御部等が出力する注文を受け付けてもよい。また、予め指定されたサーバ装置（図示せず）等が、ユーザ端末２から受信した注文の指示の受信に応じて出力する注文を受け付けてもよい。このタイミングは、例えばグループ識別子や、ユーザ識別子等により、予め指定されたタイミングであってもよいし、購入指定情報を受け付けた時刻等に応じて決定されるタイミング等であってもよい。
【００６３】
注文受付部１０９は、例えば、グループ識別子が示すグループ毎に、グループ識別子と対応づけられたユーザ識別子を有する購入指定情報が示す商品についての注文を受け付けることが好ましい。
【００６４】
グループ毎に注文を受け付けるということは、例えば、一のグループを構成するユーザ、具体的には、グループ識別子と対応づけられたユーザのうちの、予め指定された代表者から、この一のグループを構成するユーザが指定した商品、具体的には、この一のグループを構成するユーザから受信した購入指定情報が示す商品の注文を受け付けることである。
【００６５】
また、注文受付部１０９は、予め指定された代表者の代わりに、一のグループのグループ識別子と対応づけられたユーザ識別子のうちの、購入指定情報受信部１０２が受信した購入指定情報が有するユーザ識別子が示す全てのユーザから、このユーザ識別子を有する購入指定情報が示す商品ついてに注文を受け付ける（例えば、受信する）ようにし、この全てのユーザから注文を受け付けた場合に、一のグループについての注文を受け付けたと考えるようにしてもよい。また、例えば、この全てのユーザから、この全てのユーザが属するグループに対応する購入指定情報が示す商品についての注文に同意する情報を受け付けた（例えば、受信した）場合に、注文受付部１０９が注文を受け付けるようにしてもよい。
【００６６】
また、注文受付部１０９は、一のグループのグループ識別子と対応づけられた全てのユーザ識別子が示す全てのユーザから、一のグループのグループ識別子のいずれかを有する購入指定情報が示す商品ついてに注文を受け付ける（例えば、受信する）ようにし、この全てのユーザから注文を受け付けた場合に、一のグループについての注文を受け付けたと判断するようにしてもよい。また、例えば、この全てのユーザから、この全てのユーザが属するグループに対応する購入指定情報が示す商品についての注文に同意や承認する情報を受け付けた（例えば、受信した）場合に、注文受付部１０９が注文を受け付けるようにしてもよい。
【００６７】
なお、例えば、注文受付部１０９が、注文を受け付ける際に、注文を行うユーザのユーザ識別子や、ユーザ識別子を有する注文の指示を受け付けるようにすることで、注文受付部１０９は、注文を入力（あるいは送信）したユーザを特定するようにしても良い。上述した注文について同意を行う際に関しても同様である。
【００６８】
注文受付部１０９は、例えば、図示しない送信部等が、上記のような一のグループのグループ識別子と対応づけられた代表者、一のグループのグループ識別子と対応づけられたユーザ識別子のうちの、購入指定情報受信部１０２が受信した購入指定情報が有するユーザ識別子が示す全てのユーザ、または、一のグループのグループ識別子と対応づけられた全てのユーザ識別子が示す全てのユーザに対して、注文を行うか否か、あるいは注文に同意するか否かを問い合せるための情報を送信し、この情報に応じたユーザの応答に応じて、注文を行うか否かを判断するようにして注文を行うようにしてもよい。あるいは、このような注文を行うか否かや、注文に同意するか否かを問い合せる情報を更に有する状況情報を状況情報取得部１０７が取得し、状況情報送信部１０８がユーザ端末２に送信するようにしても良い。
【００６９】
例えば、注文受付部１０９は、一のグループ識別子と対応づけられたユーザ識別子を有する購入指定情報が示す商品を、一のグループ識別子について送料取得部１０６が取得した送料により発送する注文を受け付けることが好ましい。送料取得部１０６が取得した送料により発送する注文とは、例えば、上記の購入指定情報が指定する一または二以上の商品を購入する注文と、送料取得部１０６が取得した送料でこの購入する商品を送付するための指示を含む注文との組み合わせと考えてもよい。
【００７０】
なお、注文受付部１０９は、予め指定された条件を満たす場合に、一のグループ識別子と対応づけられたユーザ識別子を有する購入指定情報が示す商品について注文を受付けてもよい。例えば、注文受付部１０９は、一のグループ識別子と対応づけられたユーザ識別子を有する購入指定情報のうちの、最初の購入指定情報をを受け付けた日時からの経過時間が、予め指定された時間以上となった場合に、予め指定された条件を満たすと判断して、このグループ識別子と対応づけられたユーザ識別子を有する購入指定情報が示す商品について注文を受け付けてもよい。ここでの最初の購入指定情報は、例えば、注文済みの商品を示す購入指定情報を除いた購入指定情報のうちの、受信日時が最も早い購入指定情報である。かかることは以下においても同様である。また、注文受付部１０９は、一のグループ識別子と対応づけられたユーザ識別子を有する購入指定情報が有する商品識別子が示す商品の価格の合計が、送料が無料となる最低金額以上である場合に、このグループ識別子と対応づけられたユーザ識別子を有する購入指定情報が示す商品について注文を受け付けてもよい。
【００７１】
なお、上述したように、一のグループ識別子と対応づけられたユーザ識別子のうちの全てのユーザから注文を受け付けることを条件として、この条件を満たす場合に、この一のグループ識別子と対応づけられたユーザ識別子を有する購入指定情報が示す商品について注文を受け付けてもよい。
【００７２】
ここでの受け付けは、通常、有線もしくは無線の通信回線を介して送信された情報の受信であるが、キーボードやマウス、タッチパネルなどの入力デバイスから入力された情報の受け付け、図示しない制御部等が出力する情報の受け付け、光ディスクや磁気ディスク、半導体メモリなどの記録媒体から読み出された情報の受け付けなどを含む概念である。
【００７３】
なお、購入指定情報受信部１０２と、注文受付部１０９を、一の受信部により実現するようにし、購入指定情報と、この購入指定情報が示す商品の注文とを、ユーザ端末２が送信する一の情報等に応じて同時に受け付けるようにしてもよい。つまり、購入する商品の指定と、この商品の注文とを、例えば、ユーザによる一の操作、例えば商品に対応づけられた購入ボタンのマウスやタッチパネル等を用いた押下等に応じて同時に受け付けるようにしてもよい。
【００７４】
また、注文受付部１０９が注文を受け付けた場合、例えば、図示しない注文処理部等において、注文に対応した課金処理等が行われる。例えば、注文された商品の課金処理や、注文に対応した送料の課金処理が行われるようにしてもよい。あるいは、注文された商品やユーザに関する情報等を、課金処理等を行う図示しないサーバ装置等に送信する要にしてもよい。なお、商品についての注文を受け付けた後の処理等については、公知の技術であるので、ここでは詳細な説明は省略する。
【００７５】
なお、注文受付部１０９がグループ毎に商品の注文を受け付けない場合、注文受付部１０９は、予め指定された期間等に受け付けた注文であって、注文に対応するユーザ識別子が同じグループ識別子と対応づけられている一以上の注文については、注文の受付後に、グループ識別子が示すグループ毎の注文と判断するようにしても良い。注文受付部１０９がグループ毎に商品の注文を受け付けない場合とは、例えば、注文受付部１０９がユーザから個別に注文を受け付ける場合である。また、この場合、このグループ毎に受付けた注文の対象となる商品についての送料としては、上述したような送料取得部１０６が一のグループについて取得する送料を用いるようにしてもよい。
【００７６】
発送指示出力部１１０は、例えば、注文受付部１０９が注文を受け付けた商品であって、同じグループ識別子と対応づけられたユーザ識別子を有する購入指定情報が示す二以上の商品を発送する発送指示を出力する。このことは、例えば、発送指示出力部１１０が、グループ毎に、対応する商品を発送する発送指示を出力することと考えてもよい。同じグループ識別子と対応づけられたユーザ識別子を有する購入指定情報が示す商品とは、同じグループ識別子と対応づけられた商品や、同じグループに属する二以上の商品等と考えてもよい。かかることは以下においても同様である。この発送指示は、商品をグループ毎にまとめて発送する発送指示であってもよく、同じグループに対応する商品を、個別に発送する発送指示や、二以上の群に分けて発送する発送指示であってもよい。
【００７７】
発送指示出力部１１０は、例えば、商品の発送処理を行うサーバ装置（図示せず）に発送指示を出力する。また、発送指示出力部１１０が、商品の発送を指示するために用いられる伝票等のデータを出力することも、ここでは、発送指示を出力することと考えてもよい。なお、結果的に対応する商品が発送されることになるのであれば、発送指示出力部１１０が出力する発送指示の出力先は問わない。
【００７８】
発送指示出力部１１０は、例えば、注文受付部１０９がグループ毎に注文を受け付けた商品をグループ毎に発送する発送指示を出力するようにしてもよい。グループ毎に発送するこということは、例えば、グループに対応する商品をグループ単位でまとめて発送することである。この場合、グループ毎に注文を受け付けなかった商品ついては、グループ毎ではなく個別に送信するようにしてもよい。
【００７９】
発送指示出力部１１０は、通常、同じグループ識別子と対応づけられた商品を、一の送付先に送付する発送指示を出力する。例えば、発送指示出力部１１０は、注文受付部１０９が注文を受け付けた一のグループ識別子と対応づけられたユーザ識別子を有する購入指定情報が示す商品を、発送管理情報格納部１０４に格納されている発送管理情報が有する発送先情報のうちの、このグループ識別子と対応づけられた発送先情報が示す一の発送先に発送する発送指示を出力する。
【００８０】
ただし、発送指示出力部１１０は、一のグループ識別子に対応する二以上のユーザ識別子が示すユーザへの商品の送付先が、予め指定された領域内である場合、発送指示出力部１１０は、同じグループ識別子と対応づけられた二以上の商品を、それぞれの商品に対応する購入指定情報が有するユーザ識別子に対応する送付先に送付する発送指示を出力するようにしてもよい。、予め指定された領域内とは、例えば、予め指定された範囲内や、予め指定された距離内、同じ町内、同じ集合住宅内である。例えば、発送指示出力部１１０は、注文受付部１０９が注文を受け付けた一のグループ識別子と対応づけられたユーザ識別子を有する購入指定情報が示す商品を、各ユーザ識別子と対応づけられた送付先に、同日、好ましくは同時に発送する発送指示を出力するようにしてもよい。これにより商品を配送する際の運送業者等の移動量を限られた狭い領域に限定して、配送時の負担を削減でき、この結果、例えば、グループ毎の商品の価格に応じて低減した送料と、運送の労力とのバランスを保つことが可能となる。なお、各ユーザ識別子に対応した送付先を示す情報は、予め図示しない格納部等にユーザ識別子と対応づけて格納されている送付先を示す情報を読み出してもよく、注文受付部１０９が注文を受け付ける際に、各ユーザ識別子に対応する送付先を示す情報も受け付けるようにしてもよい。また、ユーザ識別子がユーザの送付先を示す情報、例えば、ユーザの住所等である場合、この送付先を、各ユーザの送付先を示す情報として取得するようにしてもよい。
【００８１】
ここでの出力とは、発送指示の送信や、発送指示の他の装置への受け渡し等である。発送指示出力部１１０は、送信手段等の出力デバイスを含むと考えても含まないと考えても良い。発送指示出力部１１０は、出力デバイスのドライバーソフトまたは、出力デバイスのドライバーソフトと出力デバイス等で実現され得る。
【００８２】
なお、発送指示出力部１１０が出力する発送指示に応じて、発送処理を行う処理部（図示せず）等が商品を発送するために行う処理等については、公知技術であるため、ここでは詳細な説明は省略する。
【００８３】
ユーザ端末２の受信部２０１は、例えば、情報処理装置１から送信される情報を受信する。例えば、受信部２０１は、情報処理装置１の状況情報送信部１０８が送信する状況情報を受信する。また、受信部２０１は、例えば、情報処理装置１から送信される情報であって、ユーザ端末２のユーザのユーザ識別子と対応づけられたグループ識別子が示すグループに対応する購入指定情報が有する商品識別子が示す商品について、商品の注文を行うか否かを問い合せる情報等を受信する。
【００８４】
受信部２０１は、通常、無線または有線の通信手段で実現される。受信部２０１は、通信デバイスを含むと考えても、含まないと考えても良い。
【００８５】
受付部２０２は、ユーザからの入力を受け付ける。例えば、受付部２０２は、一以上の商品についての商品識別子や、この商品識別子とユーザ識別子とを有する購入指定情報を受け付ける。また、受付部２０２は、例えば、購入指定情報が示す商品の注文を行う指示を受け付けてもよい。また、受付部２０２は、ユーザが属するグループについての注文を行う指示や、グループ毎の注文について同意や承認する情報を受け付けてもよい。また、受付部２０２は、状況情報を要求する情報を受け付けてもよい。
【００８６】
受付部２０２が受け付ける入力の入力手段は、タッチパネルやキーボードやマウスやメニュー画面によるもの等、何でも良い。受付部２０２は、タッチパネルやキーボード等の入力手段のデバイスドライバや、メニュー画面の制御ソフトウェア等で実現され得る。
【００８７】
送信部２０３は、受付部２０２が受け付けた指示等に応じた情報を、情報処理装置１に送信する。例えば、送信部２０３は、受付部２０２が受け付けた購入指定情報を送信する。また、送信部２０３は、例えば、受付部２０２が受け付けた購入指定情報が示す商品の注文を行う指示を送信する。また、送信部２０３は、例えば、受付部２０２が受け付けたユーザが属するグループについての注文を行う指示や、グループ毎の注文について同意や承認する情報を送信する。また、送信部２０３は、例えば、受付部２０２が受け付けた状況情報を送信する。
【００８８】
送信部２０３は、通常、無線または有線の通信手段で実現される。送信部２０３は、通信デバイスを含むと考えても、含まないと考えても良い。
【００８９】
次に、情報処理システム１０００の情報処理装置１の動作の一例について図２のフローチャートを用いて説明する。
【００９０】
（ステップＳ１０１）購入指定情報受信部１０２は、購入指定情報を受信したか否かを判断する。受信した場合、ステップＳ１０２に進み、受信していない場合、ステップＳ１１１に進む。
【００９１】
（ステップＳ１０２）購入指定情報受信部１０２は、ステップＳ１０１で受信した購入指定情報を、購入指定情報格納部１０３に蓄積する。
【００９２】
（ステップＳ１０３）状況情報取得部１０７は、ステップＳ１０１で受信した購入指定情報が有するユーザ識別子が対応づけられているグループ識別子と対応づけられたユーザ識別子を有する一以上の購入指定情報を、購入指定情報格納部１０３から取得する。購入指定情報格納部１０３から取得する購入指定情報は、ステップＳ１０１で受信した購入指定情報を含んでいてもよく、含んでいなくてもよい。ステップＳ１０１で受信した購入指定情報を購入指定情報格納部１０３から取得しない場合、購入指定情報格納部１０３から取得する購入指定情報に加えて、更に、ステップＳ１０１で受信した購入指定情報を加えるようにしても良い。
【００９３】
（ステップＳ１０４）状況情報取得部１０７は、ステップＳ１０３で取得した一以上の購入指定情報がそれぞれ有する商品識別子と、ステップＳ１０１で取得した購入指定情報が有する商品識別子とにそれぞれ対応する価格情報を取得する。
【００９４】
（ステップＳ１０５）状況情報取得部１０７は、ステップＳ１０４で取得した価格情報の合計を取得する。
【００９５】
（ステップＳ１０６）送料取得部１０６は、ステップＳ１０５で取得した合計に応じた送料を取得する。
【００９６】
（ステップＳ１０７）状況情報取得部１０７は、ステップＳ１０６で取得した送料が無料であるか否かを判断する。具体的には、ステップＳ１０６で取得した送料が、送料を無料とするための最低価格以上であるか否かを判断し、最低価格以上である場合、送料が無料であると判断し、最低価格以上でなければ、送料が無料でないと判断する。送料が無料である場合、ステップＳ１１０に進み、無料でない場合、ステップＳ１０８に進む。
【００９７】
（ステップＳ１０８）状況情報取得部１０７は、送料が無料となるまでの金額を示す状況情報を取得する。具体的には、状況情報取得部１０７は、送料が無料となる最低価格から、ステップＳ１０５で取得した合計の送料を減算した金額を、送料が無料となるまでの金額として有する状況情報を取得する。
【００９８】
（ステップＳ１０９）状況情報送信部１０８は、状況情報取得部１０７がステップＳ１０８で取得した状況情報を、ステップＳ１０１で受信した購入指定情報が有するユーザ識別子が対応づけられているグループ識別子と対応づけられたユーザ識別子の少なくとも一以上が示すユーザに送信する。例えば、状況情報送信部１０８は、ステップＳ１０１で受信した購入指定情報が有するユーザ識別子が対応づけられているグループ識別子と対応づけられた全てのユーザ識別子が示すユーザに状況情報を送信してもよく、ステップＳ１０１で受信した購入指定情報が有するユーザ識別子が対応づけられているグループ識別子と対応づけられた全てのユーザ識別子から、ステップＳ１０３で取得した購入指定情報が有するユーザ識別子を除いたユーザ識別子が示すユーザに状況情報を送信してもよい。そして、ステップＳ１０１に戻る。
【００９９】
（ステップＳ１１０）状況情報取得部１０７は、ステップＳ１０５で取得した価格の合計等を示す状況情報を取得する。この状況情報は、更に、購入指定情報が示す商品識別子等や、送料が無料であることを示す情報を有していてもよい。また、この状況情報は、注文を促すテキストや画像、注文を受け付けるためのインターフェースを出力する情報や、注文を受け付けるためのインターフェースの情報を取得するためのＵＲＬ等のアドレス情報やリンク等を有していてもよい。
【０１００】
（ステップＳ１１１）状況情報送信部１０８は、状況情報取得部１０７がステップＳ１１０で取得した状況情報を、例えば、ステップＳ１０９で示したユーザに送信する。あるいは、状況情報送信部１０８は、この状況情報を、ステップＳ１０３で取得した購入指定情報が有するユーザ識別子が示すユーザにだけ送信してもよい。あるいは、この状況情報を、ステップＳ１０１で受信した購入指定情報が有するユーザ識別子が示すユーザにだけ送信するようにしてもよい。そして、ステップＳ１０１に戻る。
【０１０１】
（ステップＳ１１２）注文受付部１０９は、一のグループ識別子が示すグループについて注文を受け付けたか否かを判断する。例えば、グループ管理情報により一のグループ識別子に対応づけられた全てのユーザ識別子が示す全てのユーザ、あるいは予め指定された数以上のユーザから、注文を受け付けた場合、注文受付部１０９は、このグループ識別子が示すグループについて注文を受け付けたと判断する。また、例えば、グループ管理情報により一のグループ識別子に対応づけられたユーザ識別子のうちの、購入指定情報格納部１０３に格納されている購入指定情報が有するユーザ識別子と一致するユーザ識別子が示す全てのユーザ、あるいは、予め指定された数以上のユーザから、注文を受け付けた場合に、このグループ識別子が示すグループについて注文を受け付けたと判断してもよい。また、一のグループ識別子に対して予め設定された日時となった時点で、このグループ識別子が示すグループについて注文を受け付けたと判断してもよい。ここで受け付ける注文は、例えば、送料取得部１０６が取得した送料により一のグループについての商品を発送する注文と考えてもよい。
【０１０２】
（ステップＳ１１３）発送指示出力部１１０は、ステップＳ１１２で注文を受け付けたグループのグループ識別子と対応づけられたユーザ識別子を有する商品を発送する発送指示を出力する。例えば、発送指示出力部１１０は、発送管理情報から、このグループ識別子に対応する発送先情報を取得し、この発送先情報が示す発送先に商品を発送する指示を出力する。そして、ステップＳ１０１に戻る。
【０１０３】
なお、図２のフローチャートにおいて、電源オフや処理終了の割り込みにより処理は終了する。
【０１０４】
なお、発送指示を出力した後の、実際の商品の発送処理や、注文に対応した課金処理等は、情報処理装置１の図示しない処理部等が行ってもよく、他のサーバ装置（図示せず）等が行うようにしてもよい。
【０１０５】
次に、情報処理システム１０００のユーザ端末２の動作の一例について説明する。
【０１０６】
受信部２０１は、情報処理装置１等から送信される情報を受信したか否かを判断する。受信部２０１が受信する情報は、例えば、状況情報等や、ショッピングサイト等の図示しないサーバ装置等から送信される、購入のために指定可能な商品を示したページの情報等である。受信部２０１が情報を受信した場合、例えば、情報処理装置１の図示しない表示部等が受信した情報を、適宜図示しないモニタ等に出力する。
【０１０７】
受付部２０２は、ユーザからの入力を受け付けたか否かを判断し、受け付けた場合には、ユーザ端末２は、例えば、受け付けた情報に応じた処理を行う。例えば、受付部２０２が、一以上の商品についての購入指定情報を受け付けた場合、送信部２０３は、受け付けた購入指定情報を、情報処理装置１に送信する。また、受付部２０２が、例えば、購入指定情報が示す商品の注文を行う指示や、ユーザが属するグループについての注文を行う指示等を受け付けた場合、送信部２０３は、受付部２０２が受け付けた商品の注文を行う指示や、グループについての注文を行う指示を、情報処理装置１に送信する。
【０１０８】
受信部２０１、受付部２０２、及び送信部２０３は、これらの処理を、例えば、適宜、繰り返し行う。
【０１０９】
なお、ユーザ端末２の処理は、例えば、電源オフや処理終了の割り込みにより終了する。
【０１１０】
以下、本実施の形態における情報処理システム１０００の具体的な動作について例を挙げて説明する。情報処理システム１０００の概念図は図１と同様である。
【０１１１】
ここでは、情報処理装置１がインターネット等のネットワークに接続されたサーバ装置であり、複数のユーザ端末２が、同じネットワークに接続された、コンピュータや、携帯電話、スマートフォン等の多機能携帯電話、タブレット端末等の携帯情報端末等である場合を例に挙げて説明する。
【０１１２】
図３は、グループ管理情報格納部１０１に格納されているグループ管理情報を示す図である。ここでは、各行がグループ管理情報の各レコードを示している。グループ管理情報は、「ユーザＩＤ」と、「グループＩＤ」という属性を有している。「ユーザＩＤ」は、ユーザ識別子を示す属性であり、「グループＩＤ」は、グループ識別子を示す属性である。同じ「グループＩＤ」と対応づけられた「ユーザＩＤ」は、同じグループに属するユーザのユーザ識別子を示している。ここでのグループ管理情報で管理されている一のグループは、例えば、商品の配送先が、各ユーザ毎に指定された送信先ではなく、共通の一の送信先に指定された複数のユーザで構成されるグループであるとする。
【０１１３】
まず、ユーザ端末２ａのユーザであるユーザＡが、情報処理装置１、あるいは、この情報処理装置１に関連したサーバ装置等が提供するショッピングサイトにアクセスし、購入する商品を選択するためのページを表示したとする。
【０１１４】
図４は、ユーザ端末２ａの図示しない表示部が表示するショッピングサイトのページの表示例を示す図である。
【０１１５】
なお、情報処理装置１や図示しないサーバ装置が、ショッピングサイトのページの情報を送信したり、ショッピングサイトに関連した処理を行うための構成については、公知技術であるため、ここでは詳細な説明は省略する。
【０１１６】
ユーザＡが、一の商品を購入するために、この一の商品を購入対象として指定するためのボタン、具体的には、この一の商品をいわゆるショッピングカートに追加するボタン４１を、マウス等を操作して押したとする。
【０１１７】
ユーザ端末２ａの受付部２０２は、ボタン４１に対応した商品識別子「ＡＴ０１２３４５」とユーザＡのユーザ識別子「ＵＳＥＲＡ＠ａｂｃｄ…」と有する購入指定情報を受け付ける。送信部２０３は、この購入指定情報を、情報処理装置１に送信する。
【０１１８】
情報処理装置１の購入指定情報受信部１０２は、ユーザ端末２ａから送信される上記の購入指定情報を受信し、購入指定情報格納部１０３に蓄積する。
【０１１９】
図５は、購入指定情報格納部１０３に格納される購入指定情報を管理する購入指定情報管理表を示す図である。図において、各レコード（行）が、一の購入指定情報を示している。購入指定情報管理表は、「指定ＩＤ」と、商品ＩＤ」と、「ユーザＩＤ」という属性を有している。「指定ＩＤ」は、購入指定情報を指定する識別子である。「商品ＩＤ」は商品識別子である。「ユーザＩＤ」は、ユーザ識別子である。例えば、購入指定情報受信部１０２が受信した上記の購入指定情報は、「指定ＩＤ」が「１５００９」であるレコードとして蓄積されたとする。
【０１２０】
購入指定情報格納部１０３に新たな購入指定情報が蓄積されたため、状況情報取得部１０７は、この蓄積された購入指定情報が有するユーザ識別子「ＵＳＥＲＡ＠ａｂｃｄ…」を有するグループ管理情報「Ｇ０１」を、図３に示したグループ管理情報から検索等により取得し、更に取得したグループ識別子「Ｇ０１」と対応づけられた全てのユーザ識別子を、図３のグループ管理情報から取得する。ここでは、新たな購入指定情報が有するユーザ識別子と同じものも含めて、「ＵＳＥＲＡ＠ａｂｃｄ…」、「ＵＳＥＲＢ＠ａｂｃｄ…」、及び「ＵＳＥＲＣ＠ａｂｃｄ…」という三つのユーザ識別子を取得したとする。
【０１２１】
次に、状況情報取得部１０７が取得した三つのユーザ識別子のいずれか一つを有する購入指定情報を購入指定情報格納部１０３から検出する。具体的には、図５に示した購入指定情報管理表において「ユーザＩＤ」が、上記の三つのユーザ識別子のいずれか一つと一致するレコードを検出する。ここでは、「指定ＩＤ」が「１５００６」から「１５００９」までの４つのレコードを検出したとする。そして、状況情報取得部１０７は、検出した４つのレコードから、それぞれ「商品ＩＤ」の値を取得する。ここでは、例えば、「ＡＴ０５０２３６」と、「ＡＴ１３８９２０」と、「ＡＴ０２２１０３」と、「ＡＴ０１２３４５」という４つの「商品ＩＤ」を取得したとする。
【０１２２】
図６は、商品価格情報格納部１０５に格納されている商品価格情報を示す図である。商品価格情報は、商品識別子である「商品ＩＤ」と、価格情報である「価格」という属性を有している。
【０１２３】
状況情報取得部１０７は、図６に示した商品価格情報において、「商品ＩＤ」の属性値が、上記で取得した四つの「商品ＩＤ」のそれぞれと一致するレコードを検出し、検出したレコードの「価格」の属性値を取得する。ここでは、上記の４つの「商品ＩＤ」について、「２００」、「３００」、「３００」、「１０００」という四つの「価格」の属性値、つまり四つの価格情報を取得したとする。なお、ここでの一致は、通常完全一致であるば、部分一致であってもよい。
【０１２４】
状況情報取得部１０７は、一のグループについて取得した四つの価格情報を合計した金額「１８００」を取得する。
【０１２５】
送料取得部１０６は、予め指定された送料を無料とするための最低価格の値である「２０００」を、図示しない格納部等から取得し、状況情報取得部１０７が取得した合計金額が、この最低金額以上であるか否かを判断する。ここでは、最低金額以上でないと判断される。このため、送料取得部１０６は、図示しない格納部等から予め指定された一定の送料「５００」を取得する。取得した送料は、上記で取得したグループ識別子「Ｇ０１」と対応づけて、図示しない格納部等に蓄積する。
【０１２６】
また、最低金額以上でないため、状況情報取得部１０７は、この最低金額「２０００」から、合計金額「１８００」を減算した金額「２００」を取得し、この金額「２００」を、送料を無料とするために必要となる金額として示す状況情報を取得する。また、ここでは上記で取得した「商品ＩＤ」とこれに対応する「価格」、合計金額、及び送料等を更に含む状況情報を取得する。
【０１２７】
状況情報送信部１０８は、上記で状況情報取得部１０７がグループ管理情報から取得したグループ識別子「Ｇ０１」と対応づけられた全てのユーザ識別子である「ＵＳＥＲＡ＠ａｂｃｄ…」、「ＵＳＥＲＢ＠ａｂｃｄ…」、及び「ＵＳＥＲＣ＠ａｂｃｄ…」にそれぞれ対応づけられた送信先情報を取得する。ここでは、ユーザ識別子が、ユーザのメールアドレスであるとすると、この三つのユーザ識別子であるメールアドレスを取得する。
【０１２８】
状況情報送信部１０８は、取得したメールアドレスを宛先として、上記で取得した状況情報を送信する。なお、ユーザ識別子と、送信先情報、例えばメールアドレスやアカウント等とを対応づけた情報を、予め図示しない格納部等に格納しておくようにして、この情報から、グループ識別子「Ｇ０１」と対応づけられたユーザ識別子に対応する送信先情報を取得するようにしても良い。かかることは、以下においても同様である。
【０１２９】
ユーザ識別子が「ＵＳＥＲＡ＠ａｂｃｄ…」であるユーザのユーザ端末２ａの受信部２０１は、情報処理装置１から送信される状況情報を受信し、ユーザ端末２ａは、図示しないモニタ等に受信した状況情報を表示する。
【０１３０】
図７は、ユーザ端末２ａによる、送料が無料でない場合の状況情報の表示例を示す図である。
【０１３１】
ユーザ識別子が「ＵＳＥＲＢ＠ａｂｃｄ…」及び「ＵＳＥＲＣ＠ａｂｃｄ…」であるユーザのユーザ端末においても同様の処理が行われる。
【０１３２】
これにより、グループを構成するユーザに、あといくらの金額以上、商品を購入すれば、送料が無料になるかを知らせることができ、グループを構成するユーザに商品の更なる購入を勧めることができ、商品の購買意欲を高めることができる。例えば、送料を無料とするまでに２００円分の商品の追加が必要であることを示す状況情報を表示することで、グループを構成するユーザに送料が無料となるならば購入してもよいと考えられる２００円以上の商品を、購入対象として指定しやすくすることができる。
【０１３３】
ここで、仮に、一つ目の商品である「ＡＴ０５０２３６」に対応する価格情報が「２００」ではなく、「５００」であり、状況情報取得部１０７が取得した合計金額が「２１００」であったとすると、状況情報取得部１０７は、この合計金額が、送料が無料となる最低金額以上であると判断する。このため、送料取得部１０６は、送料として無料、即ち「０」を取得する。
【０１３４】
また、最低金額以上であるため、状況情報取得部１０７は、上記で取得した「商品ＩＤ」とこれに対応する「価格」や、合計金額、送料等を更に含む状況情報を取得する。また、ここでは上記で取得した「商品ＩＤ」とこれに対応する「価格」、合計金額、及び送料等を更に含む状況情報を取得する。
【０１３５】
状況情報送信部１０８は、上記と同様に、状況情報取得部１０７が取得した状況情報を、グループ識別子「Ｇ０１」と対応づけられた全てのユーザ識別子である「ＵＳＥＲＡ＠ａｂｃｄ…」、「ＵＳＥＲＢ＠ａｂｃｄ…」、及び「ＵＳＥＲＣ＠ａｂｃｄ…」にそれぞれ対応づけられた送信先情報が示す送信先に送信する。
【０１３６】
そして、これらの送信先が示すユーザ端末２ａ等のユーザ端末２は、情報処理装置１から受信した状況情報を、図示しないモニタ等に表示する。
【０１３７】
図８は、ユーザ端末２ａによる、送料が無料である場合の状況情報の表示例を示す図である。
【０１３８】
また、図７や、図８に示した状況情報には、注文を行うためのボタン７１及びスクリプト等が設けられており、ユーザ端末２ａのユーザＡが入力デバイス（図示せず）等を操作してボタン７１を押すと、受付部２０２は、注文を送信する指示を受け付け、この指示に応じて送信部２０３は、ユーザＡのユーザ識別子を有する注文の指示を、情報処理装置１に送信する。注文の指示は、例えば、ユーザ識別子と、注文を指示する命令等との組み合わせである。
【０１３９】
情報処理装置１の注文受付部１０９は、ユーザ端末２ａから送信される注文の指示を受信する。注文受付部１０９は、受信した注文の指示に含まれるユーザ識別子「ＵＳＥＲＡ＠ａｂｃｄ…」を、図示しない格納部等に一時記憶する。そして、注文受付部１０９は、今回新たに一時記憶したユーザ識別子「ＵＳＥＲＡ＠ａｂｃｄ…」に対応するグループ識別子「Ｇ０１」をグループ管理情報から取得し、更に、このグループ識別子「Ｇ０１」が対応づけられた全てのユーザ識別子を取得し、取得した全てのユーザ識別子に対応する全てのユーザ識別子にそれぞれ対応するユーザ識別子が、注文受付部１０９が、注文の指示に応じて一時記憶したユーザ識別子の中にあるか否かを判断する。ここでは、「ＵＳＥＲＢ＠ａｂｃｄ…」、及び「ＵＳＥＲＣ＠ａｂｃｄ…」に対応するユーザ識別子が無かったとする。このため、注文受付部１０９は、グループ識別子「Ｇ０１」に対応する注文の受付を行わない。
【０１４０】
同様に、注文受付部１０９が、複数のユーザ端末２から、「ＵＳＥＲＢ＠ａｂｃｄ…」を有する注文の指示、及び「ＵＳＥＲＣ＠ａｂｃｄ…」を有する注文の指示を、順次受信したとすると、受信する毎に、上記と同様に、注文受付部１０９が、注文の指示に応じて一時記憶したユーザ識別子の中に、注文受付部１０９が新たに受信したユーザ識別子と同じグループ識別子と対応づけられたユーザ識別子が、全てあるか否かを判断する。ここでは、「ＵＳＥＲＣ＠ａｂｃｄ…」を有する注文の指示を受け付けた時点で、全てのユーザ識別子があると判断されたとする。即ち、「ＵＳＥＲＣ＠ａｂｃｄ…」を有する注文の指示を受け付けた時点で、グループに属する全てのユーザから注文の指示を受け付けたとする。
【０１４１】
このため、発送指示出力部１１０は、「ＵＳＥＲＣ＠ａｂｃｄ…」と対応づけられたグループ識別子である「Ｇ０１」に対応する発送先情報を、発送管理情報格納部１０４に格納されている発送管理情報から取得する。
【０１４２】
図９は、発送管理情報格納部１０４に格納されている発送管理情報を示す図である。発送管理情報は、「グループＩＤ」と、「発送先」という属性を有している。「グループＩＤ」は、グループ識別子であり、「発送先」は、発送先情報であり、ここでは、グループに対応する一の住所であるとする。
【０１４３】
発送指示出力部１１０は、図９に示す発送管理情報から、グループ識別子「Ｇ０１」に対応する発送先情報である住所「Ａ県Ｂ市Ｃ町１丁目…」を取得する。
【０１４４】
また、発送指示出力部１１０は、グループ識別子「Ｇ０１」に対応する全てのユーザ識別子を図３に示したグループ管理情報から取得し、取得したユーザ識別子のいずれかを含む購入指定情報を、購入指定情報格納部１０３を取得する。そして、この購入指定情報と、上記で取得した送料（ここでは、無料）を示す情報とを、上記で取得した発送先情報が示す住所に発送する発送指示を出力する。例えば、発送指示出力部１１０は、発送指示を、発送処理や、発送に対応した課金等処理を行う一または二以上の他のサーバ装置（図示せず）等に送信する。
【０１４５】
これにより、グループ識別子「Ｇ０１」が示すグループの各ユーザが指定した商品は、グループでまとめて、上述した一の住所である「Ａ県Ｂ市Ｃ町１丁目…」に送信する。例えば、この住所が、グループ識別子「Ｇ０１」が示すグループの一のユーザの住所であるとすると、商品は、このユーザの住所にまとめて送信され、このグループ内のユーザが、まとめて送信された商品から、各自が注文した商品をそれぞれ持ち帰るようにすることで、各ユーザが注文した商品を受け取ることができる。
【０１４６】
なお、注文した商品のうちの、各ユーザが指定した商品についての課金等は、例えば、商品を指定した各ユーザに課金するようにすればよい。また、送料が有料であった場合、例えば、注文した商品のうちの一以上を指定したユーザによって分割した送料を、各ユーザに課金するようにすればよい。
【０１４７】
以上、本実施の形態によれば、グループ毎にまとめて商品を発送することができ、商品を発送する際の手間等を削減できる。特に、商品をグループ毎にまとめて一カ所に送信するようにした場合、商品の配送料や、配送にかかる手間を大きく削減することができる。
【０１４８】
また、例えば、商品を注文するユーザにとっては、一のユーザで商品を注文する場合よりも多くの商品をまとめて注文することで、一のユーザで注文する場合に比べてより確実に商品の購入数や購入価格等に応じた送料の減額を受けることが可能となり、送料を適切に削減することができる。
【０１４９】
また、状況情報によって、グループ毎の商品の注文状況を、グループを構成するユーザに知らせることで、送料の減額等が受けられる分の商品を指定済であるか否かを、各ユーザに知らせることができ、グループを構成するユーザが協力して送料の減額が受けられるように商品購入を行うことができ、各ユーザが個人で無駄な商品や必要性の小さい商品を購入しなくても、適切に送料を削減することができる。
【０１５０】
なお、上記各実施の形態において、各処理（各機能）は、単一の装置（システム）によって集中処理されることによって実現されてもよく、あるいは、複数の装置によって分散処理されることによって実現されてもよい。
【０１５１】
また、上記各実施の形態において、一の装置に存在する２以上の通信手段（購入指定情報受信部や、状況情報送信部等）は、物理的に一の媒体で実現されても良いことは言うまでもない。
【０１５２】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１５３】
なお、上記各実施の形態における情報処理装置を実現するソフトウェアは、以下のようなプログラムである。つまり、このプログラムは、二以上のユーザで構成されるグループのグループ識別子と、グループ識別子が示すグループに属するユーザのユーザ識別子とを有するグループ管理情報が格納されるグループ管理情報格納部にアクセス可能なコンピュータを、ユーザが購入目的で指定した商品の商品識別子と、ユーザのユーザ識別子とを有する一以上の購入指定情報を受信する購入指定情報受信部と、購入指定情報が示す商品についての注文を受け付ける注文受付部と、注文受付部が注文を受け付けた商品であって、同じグループ識別子と対応づけられたユーザ識別子を有する購入指定情報が示す二以上の商品を発送する発送指示を出力する発送指示出力部として機能させるためのプログラムである。
【０１５４】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１５５】
また、このプログラムを実行するコンピュータは、単数であってもよく、複数であってもよい。すなわち、集中処理を行ってもよく、あるいは分散処理を行ってもよい。
【０１５６】
図１０は、上記プログラムを実行して、上記実施の形態による情報処理装置を実現するコンピュータの外観の一例を示す模式図である。上記実施の形態は、コンピュータハードウェア及びその上で実行されるコンピュータプログラムによって実現されうる。
【０１５７】
図１０において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５を含むコンピュータ９０１と、キーボード９０２と、マウス９０３と、モニタ９０４とを備える。
【０１５８】
図１１は、コンピュータシステム９００の内部構成を示す図である。図１１において、コンピュータ９０１は、ＣＤ−ＲＯＭドライブ９０５に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１５９】
コンピュータシステム９００に、上記実施の形態による情報処理装置等の機能を実行させるプログラムは、ＣＤ−ＲＯＭ９２１に記憶されて、ＣＤ−ＲＯＭドライブ９０５に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１、またはネットワークから直接、ロードされてもよい。
【０１６０】
プログラムは、コンピュータ９０１に、上記実施の形態による情報処理装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１６１】
本発明は、以上の実施の形態に限定されることなく、種々の変更が可能であり、それらも本発明の範囲内に包含されるものであることは言うまでもない。
【産業上の利用可能性】
【０１６２】
以上のように、本発明にかかる情報処理装置等は、商品の注文を受け付ける装置等として適しており、特に、注文を受け付けた商品の発送指示を出力する装置等として有用である。
【符号の説明】
【０１６３】
１  情報処理装置
２、２ａ、２ｂ  ユーザ端末
４１、７１  ボタン
１０１  グループ管理情報格納部
１０２  購入指定情報受信部
１０３  購入指定情報格納部
１０４  発送管理情報格納部
１０５  商品価格情報格納部
１０６  送料取得部
１０７  状況情報取得部
１０８  状況情報送信部
１０９  注文受付部
１１０  発送指示出力部
２０１  受信部
２０２  受付部
２０３  送信部
１０００  情報処理システム
【図１】
0006420977.tif 000002
【図２】
0006420977.tif 000003
【図３】
0006420977.tif 000004
【図４】
0006420977.tif 000005
【図５】
0006420977.tif 000006
【図６】
0006420977.tif 000007
【図７】
0006420977.tif 000008
【図８】
0006420977.tif 000009
【図９】
0006420977.tif 000010
【図１０】
0006420977.tif 000011
【図１１】
0006420977.tif 000012